【手続補正書】
【提出日】平成17年8月17日(2005.8.17)
【手続補正１】
【補正対象書類名】明細書
【補正対象項目名】特許請求の範囲
【補正方法】変更
【補正の内容】
【特許請求の範囲】
【請求項１】
ゴルフシューズ用の一対のソールであって、
各々がヒール部分、ヒール部分の前方に位置した爪先部分、ヒール部分と爪先部分との間に延びる第１の縁部、及び第１の縁部の反対側でヒール部分と爪先部分との間に延びる第２の縁部を備えた第１及び第２のソールと、
各々がその軸線に沿って細長い複数の牽引摩擦部材とを有し、
複数の牽引摩擦部材は、第１のソールに連結された状態でこれから垂下していて、軸線が第１のソールの第１及び第２の縁部のうち少なくとも一方に対して全体として横断方向に向いた少なくとも１つの第１の牽引摩擦部材と、
第１のソールに連結された状態でこれから垂下していて、軸線が第１のソールの縁部のうち少なくとも一方と全体として平行に整列した少なくとも２つの第２の牽引摩擦部材とを有し、第２の牽引摩擦部材の数は、地面に対する第１のソールの回転動作に抵抗するよう第１の牽引摩擦部材の数よりも多く、
前記複数の牽引摩擦部材は更に、第２のソールに連結された状態でこれから垂下していて、軸線が第２のソールの縁部のうち少なくとも一方と全体として平行に整列した少なくとも１つの第３の牽引摩擦部材と、
第２のソールに連結された状態でこれから垂下していて、軸線が第２のソールの第１及び第２の縁部のうち少なくとも一方に対して全体として横断方向に向いた少なくとも２つの第４の牽引摩擦部材とを有し、第４の牽引摩擦部材の数は、地面に対する第２のソールの回転動作を許容するよう第３の牽引摩擦部材の数よりも多い、
ソール。
【請求項２】
第１のソールの寸法形状は、右シューズに取り付けられるように定められ、第２のソールの寸法形状は、左シューズに取り付けられるように定められている、請求項１記載のソール。
【請求項３】
第１のソールの寸法形状は、左シューズに取り付けられるように定められ、第２のソールの寸法形状は、右シューズに取り付けられるように定められている、請求項１記載のソール。
【請求項４】
牽引摩擦部材のうち少なくとも１つは、互いに間隔を置いた複数の牽引摩擦要素から成り、各牽引摩擦要素は、牽引摩擦部材軸線に沿って細長い、請求項１記載のソール。
【請求項５】
牽引摩擦部材のうち少なくとも１つは、牽引摩擦部材軸線と全体として垂直な平面で切断したときの横断面形状がテーパしており、テーパ横断面形状は、牽引摩擦部材が取り付けられているソールから遠くに間隔を置いた幅の狭い部分を有する、請求項１記載のソール。
【請求項６】
テーパ横断面形状は、全体として三角形である、請求項５記載のソール。
【請求項７】
第１及び第２のソールのうち少なくとも一方に連結された状態でこれから垂下していて、第１及び第２のソールのうち少なくとも一方を支持する少なくとも１つのクリート部材を更に有する、請求項１記載のソール。
【請求項８】
クリート部材は、第１及び第２のソールのうち少なくとも一方と全体として垂直な平面で切断したときの横断面形状がテーパしており、テーパ横断面形状は、第１及び第２のソールのうち少なくとも一方から遠くに間隔を置いた幅の狭い部分を有する、請求項７記載のソール。
【請求項９】
クリート部材は、第１及び第２のソールのうち少なくとも一方と全体として平行な平面で切断したときの横断面形状が全体として円形である、請求項７記載のソール。
【請求項１０】
クリート部材は、第１及び第２のソールのうち少なくとも一方と全体として垂直な平面で切断したときの横断面形状が全体として丸い、請求項７記載のソール。
【請求項１１】
クリート部材は、溝付き表面を有する、請求項７記載のソール。
【請求項１２】
クリート部材は、牽引摩擦部材のうち１つと、該牽引摩擦部材が整列している第１及び第２のソールのうち一方の縁部との中間に位置している、請求項７記載のソール。
【請求項１３】
第１及び第２のソールのうち少なくとも一方を支持するように、第１及び第２のソールのうち少なくとも一方に連結され、これから垂下する複数のクリート部材を有し、該複数のクリート部材が、複数の牽引摩擦部材のうち１つと整合されている、請求項１記載のソール。
【請求項１４】
複数のクリート部材は、前記一牽引摩擦部材と、該牽引摩擦部材に近接した一方のソールの縁部との中間に位置している、請求項１３記載のソール。
【請求項１５】
第１及び第２のソールのうち少なくとも一方の第１及び第２の縁部のうち少なくとも一方は、少なくとも一部が湾曲している、請求項１記載のソール。
【請求項１６】
牽引摩擦部材のうち少なくとも１つは、第１の端部分及び第１の端部分の反対側の第２の端部分を有し、第１及び第２の端部分は各々、前記一牽引摩擦部材が連結されているソールに隣接した幅の広い領域から牽引摩擦部材が連結されているソールから遠くに間隔を置いた幅の狭い領域までテーパしたテーパ形状を有し、第１及び第２の端部分の幅の狭い領域は、互いに向かって傾斜している、請求項１記載のソール。
【請求項１７】
少なくとも１つの牽引摩擦部材は、牽引摩擦部材軸線上に位置した第１及び第２の端部分を有し、第１の端部分は、第２の端部分の反対側に位置し、牽引摩擦部材は、第１の端部分と第２の端部分との間で連続している、請求項１記載のソール。
【請求項１８】
少なくとも１つの牽引摩擦部材は、第１及び第２のソールのうち一方と一体成形されている、請求項１記載のソール。
【請求項１９】
ゴルフシューズ用の一対のソールであって、
第１のゴルフシューズに取付け可能であって、第１の縁部、第１の縁部の反対側の第２の縁部及び第１の縁部と第２の縁部の中間の第３の縁部を備えた第１のヒール部分と、
第２のゴルフシューズに取付け可能であって、第１の縁部、第１の縁部の反対側の第２の縁部及び第１の縁部と第２の縁部の中間の第３の縁部を備えた第２のヒール部分と、
第１のヒール部分に連結され、これから垂下する第１の牽引摩擦部材を有し、該第１の牽引摩擦部材が、前記第１のヒール部分の縁部の少なくとも１つとほぼ整合された第１の軸線に沿って細長くされ、該第１の牽引摩擦部材は、第１のヒール部分の縁部のうち少なくとも一方に近接して位置決めされ、
第１のヒール部分に連結され、これから垂下する複数の第１のクリート部材を有し、該第１のクリート部材は、第１のヒール部分の縁部のうちの少なくとも一方と整合され、これに近接した第２の軸線を構成し、第１のクリート部材は、第１のヒール部分の回転動作を許容するよう互いに間隔を隔てられ、
第２のヒール部分に連結され、これから垂下する複数の互いに間隔を隔てた第２のクリート部材と、
第２のヒール部分に連結され、これから垂下した第２の牽引摩擦部材とを有し、第２の牽引摩擦部材は、第２のヒール部分の縁部のうち少なくとも一方とほぼ整列された第３の軸線に沿って細長く、第２の牽引摩擦部材は、第２のヒール部分を安定化させるように、第２のヒール部分の縁部のうち少なくとも一方に近接し、前記一方の縁部と複数の第２のクリート部材との間の中間に位置決めされている、
ソール。
【請求項２０】
第１のヒール部分は、左シューズに取り付けられるように寸法形状決めされ、第２のヒール部分は、右シューズに取り付けられるように寸法形状決めされている、請求項１９記載のソール。
【請求項２１】
第１のヒール部分は、右シューズに取り付けられるように寸法形状決めされ、第２のヒール部分は、左シューズに取り付けられるように寸法形状決めされている、請求項１９記載のソール。
【請求項２２】
第１及び第２の牽引摩擦部材のうち少なくとも一方は、２つの互いに間隔を置いた細長い牽引摩擦要素から成る、請求項１９記載のソール。
【請求項２３】
一足のゴルフシューズであって、
第１のシューズを有し、該第１のシューズが第１のソールに取り付けられた第１の甲部分を有し、第１のソールは、ヒール部分と、ヒール部分の前方に位置した爪先部分と、ヒール部分と爪先部分との間に延びる第１の縁部と、第１の縁部の反対側でヒール部分と爪先部分との間に延びる第２の縁部とを備え、
第２のソールに取り付けられた第２の甲部分を有する第２のシューズを有し、第２のソールが、ヒール部分と、ヒール部分の前方に位置した爪先部分と、ヒール部分と爪先部分との間に延びる第１の縁部と、第１の縁部の反対側でヒール部分と爪先部分との間に延びる第２の縁部とを備え、
複数の牽引摩擦部材を有し、各牽引摩擦部材が牽引摩擦部材の軸線に沿って細長く、複数の牽引摩擦部材が、
第１のソールに連結され、これから垂下する少なくとも１つの第１の牽引摩擦部材を有し、その牽引摩擦部材軸線が、第１のソールの第１及び第２の縁部のうち少なくとも一方に対して全体として横方向であり、
第１のソールに連結され、これから垂下する少なくとも２つの第２の牽引摩擦部材とを有し、その牽引摩擦部材軸線が、第１のソールの縁部のうち少なくとも一方と全体として平行に整列され、第２の牽引摩擦部材の数は、地面に対する第１のソールの回転動作に抵抗するように、第１の牽引摩擦部材の数よりも多く、
第２のソールに連結され、これから垂下する少なくとも１つの第３の牽引摩擦部材を有し、その牽引摩擦部材軸線が第２のソールの縁部のうち少なくとも一方と全体として平行に整列され、
第２のソールに連結され、これから垂下する少なくとも２つの第４の牽引摩擦部材を有し、その牽引摩擦部材軸線が第２のソールの第１及び第２の縁部のうち少なくとも一方に対して全体として横方向であり、第４の牽引摩擦部材の数は、地面に対する第２のソールの回転動作を許容するように第３の牽引摩擦部材の数よりも多い、
ゴルフシューズ。
【請求項２４】
第１のシューズは右シューズであり、第２のシューズは左シューズである、請求項２３記載のゴルフシューズ。
【請求項２５】
第１のシューズは左シューズであり、第２のシューズは右シューズである、請求項２３記載のゴルフシューズ。
【請求項２６】
牽引摩擦部材のうち少なくとも１つは、牽引摩擦部材軸線と全体として垂直な平面で切断したときにテーパした横断面形状を有し、テーパ形状は、牽引摩擦部材が取り付けられているソールから遠くに間隔を置いた幅の狭い部分を有する、請求項２３記載のゴルフシューズ。
【請求項２７】
牽引摩擦部材のうち少なくとも１つは第１のソールに堅固に取り付けられ、牽引摩擦部材はソールから遠ざかって延び、牽引摩擦部材はソールに実質的に垂直な方向においてソールに連結され、牽引摩擦部材は前記垂直な方向から遠ざかるように曲げられる、請求項２４記載のゴルフシューズ。
【請求項２８】
一足のゴルフシューズであって、
第１のソールを備えた第１のシューズを有し、前記第１のソールが、ヒール部分と、ヒール部分の前方に位置した爪先部分と、ヒール部分と爪先部分との間に延びる第１の縁部と、第１の縁部の反対側でヒール部分と爪先部分との間に延びる第２の縁部とを備え、前記第１のソールが更に、第１のソールに連結され、それから垂下した複数の第１の牽引摩擦要素を備え、各第１の牽引摩擦要素は、第１の牽引摩擦要素軸線に沿って細長く、該第１の牽引摩擦要素軸線と整列された表面積を有し、複数の第１の牽引摩擦要素は、第１のグループ及び第２のグループを備え、第１のグループの第１の牽引摩擦要素は、第１のソールの回転動作に抵抗するように第１のソールの第１及び第２の縁部のうち少なくとも一方と全体的に整列した牽引摩擦要素軸線を有し、第２のグループの第１の牽引摩擦要素は、第１のソールの回転動作を許容するように第１のソールの第１及び第２の縁部のうち少なくとも一方に対して全体として横方向に向いた牽引摩擦要素軸線を有し、第１のグループの第１の牽引摩擦要素の表面積の合計は、第１のソールの回転動作に抵抗するように第２のグループの第１の牽引摩擦要素の表面積の合計よりも大きく、
第２のソールを備えた第２のシューズを有し、第２のソールが、ヒール部分と、ヒール部分の前方に位置した爪先部分と、ヒール部分と爪先部分との間に延びる第１の縁部と、第１の縁部の反対側でヒール部分と爪先部分との間に延びる第２の縁部とを備え、第２のソールが、第２のソールに連結され、これから垂下した複数の第２の牽引摩擦要素を備え、各第２の牽引摩擦要素は、第２の牽引摩擦要素軸線に沿って細長く、該第２の牽引摩擦要素軸線と整列した表面積を有し、複数の第２の牽引摩擦要素は、第１のグループ及び第２のグループを有し、第１のグループの第２の牽引摩擦要素は、第２のソールの回転動作に抵抗するように第２のソールの第１及び第２の縁部のうち少なくとも一方と全体的に整列した牽引摩擦要素軸線を有し、第２のグループの第２の牽引摩擦要素は、第２のソールの回転動作を許容するように第２のソールの第１及び第２の縁部のうち少なくとも一方に対して全体として横方向に向いた牽引摩擦要素軸線を有し、第２のグループの第２の牽引摩擦要素の表面積の合計は、第２のソールの回転動作を許容するように第１のグループの第２の牽引摩擦要素の表面積の合計よりも大きい、
ゴルフシューズ。
【請求項２９】
ゴルファーの足の動きを制御する方法であって、
少なくとも一つの第１の細長い牽引摩擦部材をゴルファーの第１の足に連結することを含み、第１の細長い牽引摩擦部材は、第１の足の縁部に対し全体として横方向において細長く、
多数の第２の細長い牽引摩擦部材をゴルファーの第１の足に連結することを含み、第２の細長い牽引摩擦部材は、第１の足の縁部とほぼ平行な方向に細長く、第２の細長い牽引摩擦部材の数は、第１の細長い牽引摩擦部材の数よりも多く、
少なくとも一つの第３の細長い牽引摩擦部材をゴルファーの第２の足に連結することを含み、第３の細長い牽引摩擦部材は、第２の足の縁部とほぼ平行な方向に細長く、
多数の第４の細長い牽引摩擦部材をゴルファーの第２の足に連結することを含み、第４の細長い牽引摩擦部材は、第２の足の縁部に対し全体として横方向に細長く、第４の細長い牽引摩擦部材の数は、第３の細長い牽引摩擦部材の数よりも多く、
ゴルファーがゴルフクラブをスイングするときに、細長い牽引摩擦部材を地面に係合させて、第１の足の回転動作に抵抗し、第２の足の回転動作を許容する、
方法。
【請求項３０】
第１の細長い牽引摩擦部材を連結し、第２の細長い牽引摩擦部材を連結する工程が、第１の細長い牽引摩擦部材、第２の細長い牽引摩擦部材をシューズのソール上で回転させ、シューズを第１の足に置くことを含む、請求項２９記載の方法。
【請求項３１】
ゴルファーが右打ちであり、第１の細長い牽引摩擦部材、第２の細長い牽引摩擦部材を連結する工程が、第１の細長い牽引摩擦部材、第２の細長い牽引摩擦部材をゴルファーの右足に連結することを含み、第３の細長い牽引摩擦部材、第４の細長い牽引摩擦部材を連結する工程が、第３の細長い牽引摩擦部材、第４の細長い牽引摩擦部材をゴルファーの左足に連結することを含む、請求項２９記載の方法。
【請求項３２】
ゴルファーが左打ちであり、第１の細長い牽引摩擦部材、第２の細長い牽引摩擦部材を連結する工程が、第１の細長い牽引摩擦部材、第２の細長い牽引摩擦部材をゴルファーの左足に連結することを含み、第３の細長い牽引摩擦部材、第４の細長い牽引摩擦部材を連結する工程が、第３の細長い牽引摩擦部材、第４の細長い牽引摩擦部材をゴルファーの右足に連結することを含む、請求項２９記載の方法。
【請求項３３】
ゴルファーが歩いたときに第１の足及び第２の足の一方を安定させるように、第１の足及び第２の足の少なくとも一方にラグ部材を連結することを含む、請求項２９記載の方法。